(57)【要約】【課題】  画像形成装置の側方にあるアクセサリー装置の移動量を最小限にしながら、ジャム処理、ユニットの保守作業を行うことが可能な画像形成装置、および、アクセサリー装置を提供する。【解決手段】  画像形成装置の側方近傍にシート搬送経路を有し、シートが詰まった際の回復処理、所謂、ジャム処理や、シート給送のための給送ユニットの保守作業を画像形成装置の側方より、ヒンジ部を備える扉を開放することによって行う画像形成装置において、画像形成装置の側方より保守作業を行う画像形成装置のユニットが上記扉と一体に回動する。さらに、上記ユニットが扉に対して略平行に取り出し可能に構成する。【選択図】  図４
2005165109.tif 000002
【特許請求の範囲】
【請求項１】
画像形成装置の側方近傍にシート搬送経路を有し、上記搬送路内でシートが滞留した際、上記シートを取り除く回復処理を画像形成装置の側方より行い、さらに、上記画像形成装置内部の被保守作業部を取り出して行う保守作業を画像形成装置の側方より行う画像形成装置において、
上記画像形成装置にシート搬送路近傍には少なくとも１つのヒンジ部を備えた扉手段を備え、上記扉手段が、シート搬送路を形成するパスガイド部材と一体化しており、扉を開放することによって、シート搬送路を開放することが可能となっており、さらに、上記扉手段に、上記シート搬送路のガイド部材と対向する側にある画像形成装置内の保守作業が必要な被保守作業部と上記扉手段を仮固定するロック部材を備え、上記ロック部材をロックさせることにより、上記扉部材と、上記被保守作業部を一体化させ、回動開放させることが可能であり、回動開放した状態で上記被保守作業部を上記扉手段と略平行に備えられたガイド手段に沿って取り出すことが可能であることを特徴とする画像形成装置。
【請求項２】
請求項第１項記載の画像形成装置において、画像形成装置にシートを給送するシート給送装置や、画像形成装置によって画像が形成されたシートに対して後処理を行うシート後処理等アクセサリー装置が画像形成装置の側方に、少なくとも１つ接続された画像形成装置。
【請求項３】
画像形成装置にシートを給送するシート給送装置や、画像形成装置によって画像が形成されたシートに対して後処理を行うシート後処理等アクセサリー装置が画像形成装置の側方に、少なくとも１つ備えた画像形成装置で、
アクセサリー装置の側方近傍にシート搬送経路を有し、上記搬送路内でシートが滞留した際、上記シートを取り除く回復処理をアクセサリー装置の側方より行い、さらに、上記アクセサリー装置内部の被保守作業部を取り出して行う保守作業をアクセサリー装置の側方より行うアクセサリー装置を備えた画像形成装置において、
上記アクセサリー装置にシート搬送路近傍には少なくとも１つのヒンジ部を備えた扉手段を備え、上記扉手段が、シート搬送路を形成するパスガイド部材と一体化しており、扉を開放することによって、シート搬送路を開放することが可能となっており、さらに、上記扉手段に、上記シート搬送路のガイド部材と対向する側にある画像形成装置内の保守作業が必要な被保守作業部と上記扉手段を仮固定するロック部材を備え、上記ロック部材をロックさせることにより、上記扉部材と、上記被保守作業部を一体化させ、回動開放させることが可能であり、回動開放した状態で上記被保守作業部を上記扉手段と略平行に備えられたガイド手段に沿って取り出すことが可能であることを特徴とするアクセサリー装置を備えた画像形成装置。
【請求項４】
上記第１〜３項記載の画像形成装置において、搬送パス内に滞留したシートを取り除く回復処理や、装置内部のユニットの保守作業を行うために開放する扉のヒンジが扉の下方近傍にあることを特徴とする画像形成装置。
【請求項５】
上記第１〜３項記載の画像形成装置において、搬送パス内に滞留したシートを取り除く回復処理や、装置内部のユニットの保守作業を行うために開放する扉のヒンジが画像形成装置を正面から見た場合の後方近傍にあることを特徴とする画像形成装置。
【発明の詳細な説明】
【技術分野】
【０００１】
本発明は電子写真複写機、マイクロ機器、レーザービームプリンタ等の画像形成装置、および、それらに接続される大容量ペーパーデッキ等のシート給送装置、フィニッシャー等の後処理装置などのアクセサリー装置に関するものである。
【背景技術】
【０００２】
従来、大型の画像形成装置においても、装置内部の余剰空間が排除されることによって、装置の小型化が進んでいる。このため、これらの装置では、装置の内側を最大限に利用しシート搬送路を確保しており、搬送パスにシートが詰まった際のシート除去処理、所謂、ジャム処理や、シートを給送するために必要な給送ユニットの保守作業を行うためには、装置の側方よりのアクセスが必要になっている。この時、特に、ジャム処理のしやすさを考慮して、装置には奥側または、下側にヒンジを持つ扉を設けている。上記扉の場合、ジャム処理では、扉の開放角が最大３０〜４５度程度必要になり、上記扉を開放し、さらに奥にあるシート給送ユニットなどのユニットを取り出しての保守作業では、上記扉は、９０度以上の開放角が必要になっている。
【０００３】
一方、画像形成装置に対する様々な要求に答えるため、大容量パーパーデッキ等のシート給送装置や、フィニッシャー等の後処理装置などのアクセサリー装置が、画像形成装置の側方に設置されることも多くなっている。このため、上記、シートが詰まった際のジャム処理や、シート給送ユニットの保守作業を行う際は、扉の開放角に応じて、扉が当たらない位置まで、アクセサリー装置を移動させている。上記アクセサリー装置の移動量は、シート詰まりの回復処理時は、比較的小さいが、ユニットの保守作業時は、略扉１枚分以上の移動量が必要になっている。
【特許文献１】特開平08-146689号公報
【発明の開示】
【発明が解決しようとする課題】
【０００４】
しかしながら、上記従来例では、ユニットの保守作業時は、画像形成装置の側方にあるアクセサリー装置を、画像形成装置側方の扉１枚分以上の距離を移動させなければならないため、画像形成装置本体や、アクセサリー装置の設置領域が限られている場合、給送ユニット等の保守作業が困難になることがあった。
【０００５】
また、側方から取り出すことなく、給送ユニット等を手前に引き出そうとすると、引き出しを妨げる前側の支柱を切り欠かねばならず、支柱を切り欠くとフレームの強度が確保できなくなってしまう。
【０００６】
また、フレームの強度を確保するため、前側の支柱を切り欠かずに、給送ユニット等を引き出そうとすると、画像形成装置を大きくしなければならなかった。
【０００７】
そこで本発明は、上記従来例の問題点を解決するためになされたもので、その目的とするところは、画像形成装置の側方にあるアクセサリー装置の移動量を最小限にしながら、ジャム処理、ユニットの保守作業を行うことが可能な画像形成装置、および、アクセサリー装置を提供することにある。
【課題を解決するための手段】
【０００８】
上記目的を達成するために、本出願に係る発明は、画像形成装置の側方近傍にシート搬送経路を有し、シートが詰まった際の回復処理、所謂、ジャム処理や、シート給送のための給送ユニットの保守作業を画像形成装置の側方より、ヒンジ部を備える扉を開放することによって行う画像形成装置において、画像形成装置の側方より保守作業を行う画像形成装置のユニットが上記扉と一体に回動する。さらに、上記ユニットが扉に対して略平行に取り出し可能に構成することにより、ジャム処理を行う時と、画像形成装置内のユニットの保守作業時で画像形成装置側方の扉の開放量が、略同等であるため、画像形成装置内のユニットの保守作業時においても、扉の開放量が特に大きくなるように考慮する必要はない。
【０００９】
また、第２の発明において、画像形成装置の側方にペーパーデッキ等のシート給送装置や、フィニッシャー等のシート処理装置などのアクセサリー装置が備えられた場合、ジャム処理や、ユニットの保守作業を行う際は、上記アクセサリー装置を移動させなければならないが、本発明においては、ジャム処理時と同等の扉の開放量でユニットの取り出し、保守作業が行えるため、上記アクセサリー装置の移動量は少なくて済む。
【００１０】
また、第３の発明は、画像形成装置の側方に設置されるペーパーデッキ等のシート給送装置や、フィニッシャー等のシート処理装置などのアクセサリー装置において、アクセサリー装置の１箇所のヒンジを持つ扉を開放することによって、アクセサリー装置の側方より保守作業を行うアクセサリー装置において、保守作業を行うユニットが扉のヒンジの近傍にヒンジを備え、扉と同一方向に回動する。さらに、上記ユニットが扉に対して略並行に取り出し可能に構成することにより、シートが詰まった際の回復処理を行う時と、アクセサリー装置自体の保守作業時で、アクセサリー装置側方の扉の開放量が、略同等であるため、アクセサリー装置自体の保守作業時においても、扉の開放量が特に大きくなるように考慮する必要はない。
【００１１】
さらに、第４の発明は、取り出すユニットが装置下方にある場合、扉、および、ユニットのヒンジを奥側に設け、装置前方に広い開放を設けることにより、装置の視認性を良くし、ジャム処理性や、ユニットの保守作業性を容易にすることができる。
【００１２】
第５の発明は、ジャム処理等を行うために開放する扉の上面高さが、対向する装置の高さの同等以上である場合、扉の下側にヒンジを設け、装置上方に広い開放を設けることにより、装置の視認性を良くし、ジャム処理性や、ユニットの保守作業性を容易にすることができる。
【発明の効果】
【００１３】
以上説明したように、本発明によれば、シート搬送パス内に詰まったシートを処理する時画像形成装置側方のカバーやシート搬送パスを開放する画像形成装置において、シート搬送パスの更に内側にあるユニットを取り出して保守作業を行う際も特に上記側方のカバーや搬送パスを大きく開放させる必要がないので、画像形成装置側方にあるシート給送装置や、シート後処理装置の移動量を小さくすることができる。このため、画像形成装置にシート給送装置、シート後処理装置等を合わせたシステム全体に保守時の装置の移動可能領域を含めた設置領域を最小限にしながらも、保守作業は容易に行うことができるようになる。
【発明を実施するための最良の形態】
【００１４】
画像形成装置１について図１に基づき、説明する。
【００１５】
原稿がトレイ５１に載置され、画像形成装置1の動作が開始されると、自動原稿読み取り装置５０は原稿を露光部Ｇに搬送する。そして、図１の紙面水平方向に対して移動自在に支持された原稿照明ランプ５２の露光により得られた、原稿の有するアナログ形態の画像情報が、Ａ／Ｄ変換を為すＣＣＤ２によりデジタル形態の画像情報に変換されたのち、複数のデジタル情報が記憶可能である画像メモリ３に蓄積され記憶される。こうして、原稿上の画像はすべて読み取られ、デジタル情報に変換され、画像メモリ３に記憶される。
【００１６】
上記画像形成装置１における画像形成記録過程にあっては、上記画像形成装置１に備えられた諸装置の駆動等を制御する制御機構４が、予め設定されている制御シーケンス等に則り、被記録シートに形成され記録されるべき転写画像の基となるデジタル形態の画像情報を画像メモリ３から呼び出して、潜像担持体たる感光体ドラム５の外周面上に、与えられたデジタル形態の画像情報に応じた静電潜像を形成するレーザユニット６へと出力する。
【００１７】
故に、上記制御機構４により画像メモリ３からデジタル形態の画像情報を入力されたレーザユニット６は、入力されたデジタル形態の画像情報に応じてレーザＬａを変調して発光し、幾つかの軌道変更を経て、感光体ドラム５の外周面へと照射する。
【００１８】
一方、上記感光体ドラム５は、レーザユニット６によるレーザ照射前に、予め、帯電手段たる一次帯電器７により外周面の電位分布の一様化が図られるようになっており、以って、レーザユニット６からのレーザＬａの照射により、上記外周面上には、与えられたデジタル形態の画像情報に応じた静電潜像が形成される。
【００１９】
次に、上記感光体ドラム５の外周面上に形成された静電潜像は、所定のタイミングにて現像手段たる現像装置８から現像剤を付与されることにより、与えられたデジタル形態の画像情報に応じた顕像へと現像される。
【００２０】
一方、給紙手段たる給紙カセット１０、１１に収納されている被記録シートは、給紙ユニット８１、９１内のピックアップローラ８２、９２でおよび、給紙ローラ８３、９３、リタードローラ８４、９４により、一枚ずつに分離、給紙される。そして、搬送パス１２内を搬送され、感光体ドラム５と転写帯電器９との間に形成される転写領域Ｚへと搬送される。
【００２１】
また、画像形成装置１の図１中右側には、大容量ペーパーデッキ１００が接続されている。大容量ペーパーデッキ１００は、１度に大量の被記録が収納できるため、特に高速に画像形成を行う画像形成装置に接続される時、有効な装置である。大容量ペーパーデッキ１００に収納された被記録シートも画像形成装置に向けて、給紙、搬送することが可能であり、ペーパーデッキ１００において給紙された、被記録シートも、給紙カセットと同様に構成された給紙ユニット１５０、１５１により、一枚ずつ分離給紙され、給紙パス１０２、１０３を搬送され、画像形成装置１内の転写領域Ｚへ搬送される。
【００２２】
次に、上記感光体ドラム５の外周面上に形成された顕像は、画像転写領域Ｚにおいて、転写手段たる転写帯電器９から例えばコロナ放電等を受けることにより、所定のタイミングにて搬送された被記録シートに対し、一枚の被記録シートの、一方の面上に転写され、与えられたデジタル形態の画像情報に応じた未定着状態の転写画像（未定着像）として記録される。
【００２３】
次に、上記未定着像を一方の面上に担持した被記録シートは、画像形成装置１に備えられた搬送ベルト１３により、転写領域Ｚから、熱供給及び圧力付与にて定着を為す定着装置１４に回動自在に軸支され、且つ、互いに圧接自在に支持された二つのローラ、すなわち、円筒状に形成された定着手段たる定着ローラ１５と、円柱状に形成された加圧手段たる加圧ローラ１６との間に形成される定着ニップ部Ｎへと搬送される。
【００２４】
次に、上記定着ニップ部Ｎへと達した被記録シートは、定着ローラ１５の中空部に設けられた熱供給源としての加熱体（図示せず）からの熱供給と、加圧ローラ１６からの圧力付与とにより、未定着像が軟化して溶融し、カラー転写にあっては、混色して所望に発色して定着さ、分岐パス２０に至る。被記録シートを表裏を反転させたり、両面に画像を記録させたりする場合は、被記録は分岐パス２０において、反転パス１８方向に搬送され、記録面を上側のままで排出する場合は、そのまま、排出ローラ１７へ搬送され、画像形成装置１の外部へ排出される。
【００２５】
画像形成装置１のシートが排出される側（図１中左側）には、シート後処理装置３００が接続されており、画像形成装置１から排出された被記録シートは、シート後処理装置３００に搬送され、分岐パス３０１に至る。画像が形成された被記録シートをそのまま積載する場合は、分岐パス３０１からスタッカ部３０２側に搬送され、スタッカ排出ローラ３０３から不図示のモータにより上下同するスタックトレイ３０４上に排出される。また、被記録シートに対し、綴じ処理等を行う場合は、分岐パス３０１から、搬送パス３０５を通り、排出ローラ３０６から処理部３５０に搬送される。
【００２６】
処理部３５０に搬送された、被記録シートは、搬送パス３５１から、排出ローラ３５２を経由して、処理トレイ３５４に積載される。ここで、被記録シートは所定枚数積載された後、処理部３５０に備えられた綴じ装置３５３により、綴じ処理が行われ、処理が行われた後、束排出ローラ３５５により、束スタックトレイ３５６上に排出、積載される。
【００２７】
次に、シートが搬送パス１２内で停止、滞留した場合のシートの除去処理、および、給紙ユニット８１を保守作業する際の操作について説明する。
【００２８】
搬送パス１２内に滞留したシートを除去する際は、図２に示すように画像形成装置１の右下扉３０を開放して行う。右下扉３０は、画像形成装置１の後方に上下にヒンジを備えており、手前側に開放部が得られるように、且つ、開放角度が約３０度程度になるように開放される。このとき、画像形成装置１の右側方にあるペーパーデッキ１００を右に移動させる。その移動量は、右下扉３０の幅の略１／２程度である。また、右下扉３０には、搬送パス１２を構成するガイド１２１や搬送コロ１２２、１２３、１２４等が、一体に構成されており、右下扉３０を開放することで、搬送パス１２が開放される。こうして、搬送パス１２が開放された状態でパス内に滞留したシートを除去することができる。
【００２９】
さらに、給紙ユニット８１を保守作業する際は、図５および図６に示すように、右下扉３０に備えられたロックレバー１２５を矢印Ａ方向に操作する。すると、ロックレバー１２５は、ガイドアーム１２６を押し下げ、ガイドアームのガイド部１２７と給紙ユニット８１の突起部１２８を勘合させる。下ロックレバー１２９は、ロックレバー１２５の動きと連動し、ガイドアーム１３０を矢印Ｂ方向に押し上げ、ガイド部１３１と給紙ユニットの突起部１３２を嵌合させる。こうして、右下扉３０と、給紙ユニット８１を一体化させる。この状態で、右下扉３０を回動開放すると、給紙ユニット８１もその回動動作に追随し、回動する。そして回動したところで、給紙ユニット前部ある把手１９９を引くと、給紙ユニットの突起部１２８、１３２がそれぞれ、嵌合しているガイド部１２７、１３１と摺動しながら給紙ユニット８１は前方に引き出される。
【００３０】
上述したように、右下扉３０がシート除去処理と同様の回動角度まで回動開放された状態で、給紙ユニット８１は、右下扉３０に対して略平行に図中矢印Ｃ方向に引き抜くことが可能になっている。このため、ペーパーデッキをシート除去処理時以上に移動させなくとも、給紙ユニット８１を取り出し、ローラ交換等の保守作業を行うことが可能となっている。
【００３１】
次に、被記録シートがシート後処理装置３００内の搬送パス３５１内で停止、滞留した場合のシートの除去処理、および、シート綴じ装置３５３を保守作業する際の操作について説明する。
【００３２】
搬送パス３５１内に滞留したシートを除去する際は、処理部３５０の右扉３５７を回動開放して行う。右扉３５７は、その回動動作に連動して、ガイド板３５９を開放する。カバー３５７の下方には、ヒンジ部３５８が設けられており、カバー３５７は上方が開放される。ところが、カバーヒンジ部が、スタッカ部３００の上面より、低い位置にあるため、処理部３５０を図中右側に移動させる必要がある。但し、移動量は、カバー３５７を４５度程度だけ開放するのにスタッカ部と干渉しない位置まで移動させるため、その移動量は、カバーを９０度以上開放するのと比較して、１／２以下である。
【００３３】
さらに、綴じ装置３５３に対して、保守作業を行う場合、上述の給紙ユニットの場合と同様に、ガイドロックレバーを操作することで、搬送ガイド３５９と３４０をカバー３５７と同時に回動開放することが可能であり、さらに、綴じ装置３５３も同時に回動する。そして、回動させた状態で、綴じ装置３５３は、カバー３５７に略沿った状態で、図中斜め上方に取り出すことが可能になっている。こうして、綴じ装置３５３は、取り出された状態で、保守作業される。
【図面の簡単な説明】
【００３４】
【図１】本発明の実施例に係る画像形成装置の正面図である。
【図２】本発明の実施例に係る画像形成装置の正面図である。
【図３】本発明の実施例に係る画像形成装置の正面図である。
【図４】本発明の実施例に係る画像形成装置の上面図である。
【図５】本発明の実施例に係る画像形成装置の給紙ユニットの正面図である。
【図６】本発明の実施例に係る画像形成装置の給紙ユニットの正面図である。
【符号の説明】
【００３５】
１  画像形成装置
３０  右下扉
８１  給紙ユニット
１００  ペーパーデッキ
３００  シート後処理装置
３５０  シート後処理装置処理部
３５３  綴じ装置
３５７  シート後処理装置処理部右扉
【図１】
2005165109.tif 000003
【図２】
2005165109.tif 000004
【図３】
2005165109.tif 000005
【図４】
2005165109.tif 000006
【図５】
2005165109.tif 000007
【図６】
2005165109.tif 000008